(57)【要約】【課題】どのような遊技過程を経て最大の出玉を獲得することができたのかを容易に把握する。【解決手段】遊技情報表示装置３は、アウトと差玉との関係を示す出玉グラフを表示する際に、差玉の増加が最大となる最大増加区間において増加した差玉である最大増加差玉と、その最大増加区間において発生した大当たりの回数である最大増加区間大当たり回数とを一緒に表示する。最大増加差玉と最大増加区間大当たり回数との因果関係を容易に把握でき、どのような遊技過程を経て最大の出玉を獲得することができたのかを容易に把握できる。【選択図】図１
2014132956.tif 000002
【特許請求の範囲】
【請求項１】
遊技の実行に伴い遊技価値を消費する一方、入賞が発生したときに遊技価値を付与し、大当たりが発生したときに入賞の発生が容易になる遊技機が設置された遊技場における遊技情報表示システムにおいて、
遊技の実行に応じて、入賞の発生により遊技者に付与された遊技価値と、遊技で消費された遊技価値との差を示す差遊技価値を算出する差遊技価値算出手段と、
前記差遊技価値算出手段により算出された差遊技価値を所定間隔で記録する差遊技価値記録手段と、
前記差遊技価値記録手段により記録された差遊技価値に基づいて、遊技価値の増加が最大となる最大増加区間を特定する最大増加区間特定手段と、
前記最大増加区間において増加した遊技価値を最大増加遊技価値として算出する最大増加遊技価値算出手段と、
前記最大増加区間において発生した大当たりの回数を最大増加区間大当たり回数として算出する最大増加区間大当たり回数算出手段と、
前記最大増加遊技価値及び前記最大増加区間大当たり回数を表示する表示手段と、を備えたことを特徴とする遊技情報表示システム。
【請求項２】
前記最大増加区間において前記遊技価値の減少が最大となる最大減少区間を特定する最大減少区間特定手段と、
前記最大減少区間において減少した遊技価値を最大減少遊技価値として算出する最大減少遊技価値算出手段と、を備え、
前記表示手段は、前記最大減少遊技価値を表示することを特徴とする請求項１に記載した遊技情報表示システム。
【請求項３】
前記最大増加区間において大当たりが終了して通常状態へ復帰した回数を通常状態復帰回数として算出する通常状態復帰回数算出手段を備え、
前記表示手段は、前記通常状態復帰回数を表示することを特徴とする請求項１又は２に記載した遊技情報表示システム。
【発明の詳細な説明】
【技術分野】
【０００１】
本発明は、遊技の実行に伴い遊技価値を消費する一方、入賞が発生したときに遊技価値を付与し、大当たりが発生したときに入賞の発生が容易になる遊技機が設置された遊技場における遊技情報表示システムに関する。
【背景技術】
【０００２】
従来の遊技場においては、例えば特許文献１に記載されているように、各遊技機の出玉（差玉）の推移を表す出玉グラフを表示することにより、遊技者が各遊技機の出玉状況を容易に把握可能となるように便宜を図っている。
【先行技術文献】
【特許文献】
【０００３】
【特許文献１】特開２０１０−２４００１３号公報
【発明の概要】
【発明が解決しようとする課題】
【０００４】
遊技者が出玉状況を判断する際に最も関心を寄せるのは「どの程度出るのか？」ということであり、出玉グラフを観ることで最大の出玉がどの程度であるのかを把握することはできるが、その最大の出玉が発生する遊技過程において、どのような経緯をたどっているのかは出玉グラフを観ただけでは分からないという問題がある。即ち、例えば最大の出玉を獲得するまでに何回のゲームを実行すればいいのか、何回の大当たりを発生させればいいのか等、詳しい状況を把握することができなかった。
【０００５】
本発明は、上記した事情に鑑みてなされたものであり、その目的は、どのような遊技過程を経て最大の出玉を獲得することができたのかを容易に把握することができる遊技情報表示システムを提供することにある。
【課題を解決するための手段】
【０００６】
請求項１に記載した発明は、遊技の実行に伴い遊技価値を消費する一方、入賞が発生したときに遊技価値を付与し、大当たりが発生したときに入賞の発生が容易になる遊技機が設置された遊技場における遊技情報表示システムにおいて、遊技の実行に応じて、入賞の発生により遊技者に付与された遊技価値と、遊技で消費された遊技価値との差を示す差遊技価値を算出する差遊技価値算出手段と、前記差遊技価値算出手段により算出された差遊技価値を所定間隔で記録する差遊技価値記録手段と、前記差遊技価値記録手段により記録された差遊技価値に基づいて、遊技価値の増加が最大となる最大増加区間を特定する最大増加区間特定手段と、前記最大増加区間において増加した遊技価値を最大増加遊技価値として算出する最大増加遊技価値算出手段と、前記最大増加区間において発生した大当たりの回数を最大増加区間大当たり回数として算出する最大増加区間大当たり回数算出手段と、前記最大増加遊技価値及び前記最大増加区間大当たり回数を表示する表示手段と、を備えたことを特徴とする。
【０００７】
請求項２に記載した発明は、前記最大増加区間において前記遊技価値の減少が最大となる最大減少区間を特定する最大減少区間特定手段と、前記最大減少区間において減少した遊技価値を最大減少遊技価値として算出する最大減少遊技価値算出手段と、を備え、前記表示手段は、前記最大減少遊技価値を表示することを特徴とする。
【０００８】
請求項３に記載した発明は、前記最大増加区間において大当たりが終了して通常状態へ復帰した回数を通常状態復帰回数として算出する通常状態復帰回数算出手段を備え、前記表示手段は、前記通常状態復帰回数を表示することを特徴とする。
【発明の効果】
【０００９】
請求項１に記載した発明によれば、遊技価値の増加が最大となる最大増加区間において増加した遊技価値である最大増加遊技価値と、その最大増加区間において発生した大当たりの回数である最大増加区間大当たり回数とを一緒に（同時に）表示するようにしたので、最大増加遊技価値と最大増加区間大当たり回数との因果関係を容易に把握することができ、どのような遊技過程を経て最大の出玉を獲得することができたのかを容易に把握することができる。例えば大当たり回数が遊技価値の増加にどの程度影響しているか等を容易に把握することができる。
【００１０】
請求項２に記載した発明によれば、最大増加区間において遊技価値の減少が最大となる最大減少区間において減少した遊技価値である最大減少遊技価値を表示するようにしたので、遊技価値の推移が増加から減少へと転じたときに、どの程度の減少まで我慢すれば良いのかを予め把握することができる。
【００１１】
請求項３に記載した発明によれば、最大増加区間において大当たりが終了して通常状態へ復帰した回数である通常状態復帰回数を表示するようにしたので、最大遊技価値を獲得するまで何回のハマリに耐えれば良いのかを予め予測することができる。
【図面の簡単な説明】
【００１２】
【図１】本発明の一実施形態を示す全体構成図
【図２】遊技情報表示装置の機能ブロック図
【図３】出玉グラフを示す図
【発明を実施するための形態】
【００１３】
以下、本発明の一実施形態について図面を参照して説明する。図１は、遊技情報表示システム１の全体構成を概略的に示している。遊技場内には複数台の遊技機２が設置されており、各遊技機２に１対１に対応して遊技情報表示装置３及び貸出ユニット４が当該遊技機２の側方に設置されている。本実施形態では遊技機２としてパチンコ機を想定しており、遊技価値（遊技媒体）として玉（所謂パチンコ玉）を想定している。これら遊技機２、遊技情報表示装置３及び貸出ユニット４は中継装置５に接続されており、中継装置５はＬＡＮ６を介して管理装置７に接続されている。管理装置７は、主装置７ａ、モニタ７ｂ及びキーボード７ｃ等を有する。尚、図１では省略しているが、数１００台の遊技機２が管理装置７の管理対象となる。
【００１４】
遊技機２は、発射装置を構成する操作ハンドル２ａ、上部受皿２ｂ、下部受皿２ｃを有すると共に、盤面２ｄに、普図入賞口２ｅ、第１始動口２ｆ、第２始動口２ｇ、液晶表示部２ｈ、大入賞口２ｉを有する。遊技機２は以下に示す動作を行う。
【００１５】
（１）操作ハンドル２ａが操作されたことにより盤面２ｄに発射された玉が第１始動口２ｆ又は第２始動口２ｇに入賞（始動入賞）することに応じて大当たり抽選を行い、抽選結果に基づいて所謂特別図柄（特図）による図柄変動を液晶表示部２ｈにて実行し、その結果に応じて大当たりを発生させる。尚、所謂保留玉の上限は各４個ずつであり、保留中に始動入賞した場合は上限まで保留し、図柄変動終了後に順次保留した図柄変動を実行する。
【００１６】
（２）第１始動口２ｆは入賞率が変動しない所謂ヘソタイプの入賞口である一方、第２始動口２ｇは普図抽選によって入賞率が変動する所謂電チュータイプの入賞口である。
（３）大当たり抽選の当選確率（大当たり確率）は１／３００であり、大当たりのうち大当たり後に確変状態（確変）となる大当たりの割合は６６．６％（２／３）であり、大当たりが発生すると対応するラウンド数（Ｒ）に応じた分だけ大入賞口２ｉを開放する。尚、１Ｒの上限入賞数（上限数）は８個であり、上限開放時間は３０秒であり、上限数又は上限開放時間の何れかが満たされた場合に１Ｒを終了する。
【００１７】
（４）大当たりに対応するラウンド数は５Ｒと１６Ｒとがあり、その振分割合は５Ｒが２５％であり、１６Ｒが７５％である。
（５）確変中は大当たり確率が１／３０に向上すると共に、第２始動口２ｇへの入賞率が向上する時短状態（時短）になる。尚、確変は次回大当たりまで継続するため、大当たり後に通常状態（通常）となる大当たり（通常大当たり）が発生するまで継続し、通常大当たりが発生した場合は通常状態へと戻る。
【００１８】
遊技機２及び周辺機器は、遊技者による玉の打ち込みや第１始動口２ｆ又は第２始動口２ｇへの始動入賞等の遊技の進行に伴って、以下に示す遊技信号を出力する。
「アウト信号」：消費（使用、打込、回収）玉を回収するアウトＢＯＸから出力される消費価値（アウト）を特定可能な信号である。消費玉１０玉に対して１パルスが出力されるので、「アウト信号数×１０」をアウトとして特定する。尚、遊技機２から出力される信号であっても良い。アウト信号により特定されるアウトは、遊技で消費された遊技価値に相当する。
【００１９】
「セーフ信号」：遊技機２から出力される入賞付与価値（セーフ）を特定可能な信号である。払出（付与）玉１０玉に対して１パルスが出力されるので、「セーフ信号数×１０」をセーフとして特定する。尚、補給装置から出力される補給信号をセーフ信号としても良い。セーフ信号により特定されるセーフは、入賞の発生により遊技者に付与された遊技価値に相当する。
【００２０】
「始動入賞信号」：遊技機２から出力される第１始動口２ｆ又は第２始動口２ｇへの入賞（始動入賞）を特定可能な信号である。第１始動口２ｆ又は第２始動口２ｇへの入賞１回につき１パルスが出力されるので、始動入賞信号の入力に応じて始動入賞を特定する。
「図柄変動信号」：遊技機２から出力される第１始動口２ｆ又は第２始動口２ｇへの始動入賞により変動（作動）を開始する図柄変動（役物作動）を特定可能な信号である。図柄変動の確定時（終了時）に出力されるので、図柄変動信号の入力に応じて図柄変動（スタート）を特定する。尚、図柄変動の開始時に出力される信号であっても良い。
【００２１】
「大当たり信号」：遊技機２から出力される大当たり状態である期間を特定可能な信号である。大当たり状態中にレベル出力されるので、大当たり信号入力中を大当たり状態中として特定する。
「確率変動信号」：遊技機２から出力される大当たりの当選確率が高い確変状態中である期間を特定可能な信号である。確変状態中にレベル出力されるので、確率変動信号入力中を確変状態中として特定する。
【００２２】
遊技情報表示装置３は、稼動状態やエラー状態等を表示する状態表示ランプ３ａ、各種遊技情報を表示する液晶表示部３ｂ（表示手段に相当）、遊技場が発行した会員カード（記録媒体）が挿入されるカード挿入口３ｃ、カード挿入口３ｃに挿入されている会員カードを排出するために遊技者が操作するカード排出釦３ｄ等を有する。液晶表示部３ｂにはタッチパネル３ｅが設けられており、遊技者は、タッチパネル３ｅを操作することにより、液晶表示部３ｂに表示される遊技情報の種類や表示態様等を切換可能である。
【００２３】
図２は、遊技情報表示装置３の電気的な構成を機能ブロック図により示している。遊技情報表示装置３において、ＣＰＵ、ＲＯＭ、ＲＡＭ、Ｉ／Ｏを有するマイクロコンピュータにより構成される制御部３ｆ（差遊技価値算出手段、差遊技価値記録手段、最大増加区間特定手段、最大増加遊技価値算出手段、最大増加区間大当たり回数算出手段、最大減少区間特定手段、最大減少遊技価値算出手段、通常状態復帰回数算出手段に相当）は、状態表示ランプ３ａ、液晶表示部３ｂ、タッチパネル３ｅ、カード挿入口３ｃに挿入された会員カード８に記録されている各種情報を読取るカードリーダ３ｇ、カード排出釦３ｄ、中継装置５との間で各種信号や各種情報を入出力する入出力部３ｈを接続している。遊技情報表示装置３は、制御部３ｆが制御プログラムを実行することで以下に示す動作を行う。
【００２４】
（１）会員カード８がカード挿入口３ｃに挿入されていない状態では、会員カード８のカード挿入口３ｃへの挿入を促すメッセージを液晶表示部３ｂに繰返して表示する。
（２）遊技者が会員カード８をカード挿入口３ｃに挿入すると、カード挿入口３ｃに挿入された会員カード８に記録されている各種情報をカードリーダ３ｇにより読取り、各種遊技情報を液晶表示部３ｂに表示したりタッチパネル３ｅからの操作入力を受付可能としたりする。尚、会員カード８がカード挿入口３ｃに挿入されていない状態でも、一部の各種遊技情報を液晶表示部３ｂに表示したりタッチパネル３ｅからの一部の操作入力を受付可能としたりしても良い。
【００２５】
（３）対応する遊技機２側から出力されるアウト信号及びセーフ信号を入力し、アウト信号に基づいてアウトを特定し、セーフ信号に基づいてセーフを特定し、アウトとセーフとの差である出玉（差玉＝セーフ−アウト）を差遊技価値として特定する。
（４）アウト（打込玉数）を横軸とすると共に差玉を縦軸とし、アウト「２００」（約２分）毎に算出した差玉を、対応する位置にドットを１個ずつプロットすることで出玉グラフ（差遊技価値グラフ）を作成して液晶表示部３ｂに表示する（差遊技価値を所定間隔で記録する）。
【００２６】
貸出ユニット４は、遊技者が貨幣を投入するための貨幣投入口４ａ等を有し、遊技者が貨幣を貨幣投入口４ａに投入すると、その投入金額の範囲内の玉を遊技機２に貸出し、貸出信号を遊技機２に出力する。
【００２７】
管理装置７は、ＣＰＵ、ＲＯＭ、ＲＡＭ、Ｉ／Ｏを有する制御部、遊技機２や遊技情報表示装置３や貸出ユニット４との間で各種信号や各種情報を入出力する入出力部等を有する。管理装置７は、遊技機２や遊技情報表示装置３や貸出ユニット４との間で各種信号や各種情報を入出力することで、遊技機２における遊技情報（アウト、セーフ、差玉、出玉率、スタート回数、大当たり回数等）を集計して管理する。
【００２８】
さて、遊技情報表示装置３は、上記した（１）から（４）に示した動作に加え、制御部３ｆが本発明に関連して以下に示す動作も行う。
（５）出玉グラフにおいて、差玉の増加が最大となる最大増加区間を特定する。具体的には、図３に示すように、差玉が最小である点を最大増加出玉始点（図３中「Ａ」）として特定し、差玉が最大である点を最大増加出玉終点（図３中「Ｂ」）として特定し、最大増加出玉始点から最大増加出玉終点までの区間（図３中「ＡＢ区間」）を最大増加区間として特定する。最大増加出玉始点における差玉と最大増加出玉終点における差玉との差を最大増加差玉（最大増加遊技価値）として算出し、その算出した最大増加差玉を液晶表示部３ｂに表示する。図３では「ＡＢ間差玉＝１２５６０玉」を例示している。尚、この場合、最大増加出玉始点は当日の最小差玉とは限らない。即ち、例えば最大増加出玉終点を特定した後に、それよりも前に特定した最大増加出玉始点の差玉を下回る差玉になると、その差玉が当日の最小差玉となるが、それ以降に最大増加差玉を越えない限りは最大増加出玉始点は変更されない。同様に、最大増加出玉終点は当日の最大差玉とは限らない。即ち、例えば最大増加出玉終点を特定する前に当該最大増加出玉終点の差玉を上回った差玉があると、その差玉が当日の最大差玉となるが、今回の最大増加差玉を越えない限りは最大増加出玉終点は変更されない。
【００２９】
（６）最大増加区間におけるアウトを最大増加区間打込玉数として算出し、その算出した最大増加区間打込玉数を液晶表示部３ｂに表示する。図３では「ＡＢ間打込玉数＝８７２０玉」を例示している。
（７）遊技機２から入力する大当たり信号に基づいて最大増加区間において発生した大当たりの回数を最大増加区間大当たり回数として算出し、その算出した最大増加区間大当たり回数を液晶表示部３ｂに表示する。図３では「ＡＢ間大当たり＝１７回」を例示している。
【００３０】
（８）最大増加区間において大当たりが終了して通常状態へ復帰した回数を通常状態復帰回数として算出し、その算出した通常状態復帰回数を液晶表示部３ｂに表示する。図３では「ＡＢ間通常状態＝２回」を例示している。
（９）最大増加区間において差玉の減少が最大となる区間（図３中「ＣＤ区間」）を最大減少区間として特定する。最大減少出玉始点（図３中「Ｃ」）における差玉と最大減少出玉終点（図３中「Ｄ」）における差玉との差を最大減少差玉（最大減少遊技価値）として算出し、その算出した最大減少差玉を液晶表示部３ｂに表示する。図３では、「ＡＢ間最大凹＝２０６０玉」を例示している。
このように最大増加差玉、最大増加区間打込玉数、最大増加区間大当たり回数、通常状態復帰回数、最大減少差玉を一緒に（同時に）表示することで、それらの遊技情報を遊技者が容易に確認することができる。
【００３１】
以上に説明したように本実施形態によれば、遊技情報表示装置３において、アウトと差玉との関係を示す出玉グラフを表示する際に、差玉の増加が最大となる最大増加区間において増加した差玉である最大増加差玉と、その最大増加区間において発生した大当たりの回数である最大増加区間大当たり回数とを一緒に（同時に）表示するようにしたので、最大増加差玉と最大増加区間大当たり回数との因果関係を容易に把握することができ、どのような遊技過程を経て最大の出玉を獲得することができたのかを容易に把握することができる。例えば大当たり回数が差玉の増加にどの程度影響しているか等を容易に把握することができる。
【００３２】
又、最大増加区間において差玉の減少が最大となる最大減少区間において減少した差玉である最大減少差玉を表示するようにしたので、差玉の推移が増加から減少へと転じたときに、どの程度の減少まで我慢すれば良いのかを予め把握することができる。更に、最大増加区間において大当たりが終了して通常状態へ復帰した回数である通常状態復帰回数を表示するようにしたので、最大差玉を獲得するまで何回のハマリに耐えれば良いのかを予め予測することができる。
【００３３】
本発明は、上記した実施形態にのみ限定されるものではなく、以下のように変形又は拡張することができる。尚、以下に示す幾つかの変形例を組み合わせても良い。
アウトを横軸とすると共に差玉を縦軸とする出玉グラフを表示する場合を説明したが、時刻を横軸とする出玉グラフを表示しても良い。時刻を横軸とする場合は、遊技が停止している状態であっても所定時間（例えば２分）が経過する毎に算出した差玉を、対応する位置にドットを１個ずつプロットすることで出玉グラフを作成することになる。
遊技情報表示装置が遊技機の側方に設置される構成を説明したが、遊技情報表示装置が遊技機の上方や下方に設置されても良い。
遊技情報表示装置が貸出ユニットや遊技機自体と一体化されている構成であっても良い。
【００３４】
遊技情報表示装置が従業員の呼び出し表示機能を有する構成であっても良い。
遊技情報表示装置が各遊技機に１対１で設置される構成を説明したが、１つの遊技情報表示装置が複数の遊技機に対応して設置されても良い。例えば１つの遊技情報表示装置が１つの遊技機島に対応して設置されても良い。
【００３５】
遊技情報表示装置が管理装置や遊技機から中継装置を経由して各種信号を入力する構成を説明したが、管理装置や遊技機から各種信号を直接入力しても良い。
対象となる遊技機としては、パチンコ機に限らず、スロットマシンやじゃん球遊技機等であっても良いし、所謂封入式やクレジット式等の遊技機であっても良い。又、管理装置の情報処理の一部又は全部を遊技情報表示装置や貸出ユニット等にて行う構成としても良いし、遊技情報表示装置の情報処理の一部又は全部を管理装置や貸出ユニット等にて行う構成としても良い。更に、図３に示した数値はあくまでも例示であり、どのような値であっても良い。
【符号の説明】
【００３６】
図面中、１は遊技情報表示システム、２は遊技機、３ｂは液晶表示部（表示手段）、３ｆは制御部（差遊技価値算出手段、差遊技価値記録手段、最大増加区間特定手段、最大増加遊技価値算出手段、最大増加区間大当たり回数算出手段、最大減少区間特定手段、最大減少遊技価値算出手段、通常状態復帰回数算出手段）である。
【図１】
2014132956.tif 000003
【図２】
2014132956.tif 000004
【図３】
2014132956.tif 000005